(57)【要約】  【目的】  周波数帯域に応じたノイズ低減処理を行う。  【構成】  画像データが画像データ分割回路10において，低域，低域から中域および低域から高域の周波数をもつ画像データＤ11，Ｄ12およびＤ13に分割される。周波数帯域ごとに分割された画像データＤ11，Ｄ12およびＤ13が，低域，低域から中域および低域から高域の周波数をもつ画像データのノイズ低減に適したパラメータｇ11，ｇ12およびｇ13が設定されているノイズ低減回路11，12および13に入力する。周波数帯域に応じたノイズ低減処理が行われた画像データＤ11，Ｄ12およびＤ13が画像データ合成回路14に入力し，一駒の画像を表すように画像データの合成処理が行われる。  【選択図】  図２
2006050109.tif 000002
【特許請求の範囲】
【請求項１】
与えられる一駒分の画像データを，異なる周波数帯域をもつように複数の画像データに分ける画像データ分割手段，
上記画像データ分割手段によって異なる周波数帯域をもつように分けられた画像データのそれぞれに対応してノイズ低減処理回路が設けられており，それぞれのノイズ低減処理回路が，与えられる画像データの周波数帯域に対応したノイズ低減処理を行う複数のノイズ低減処理回路，および
上記複数のノイズ低減回路のそれぞれにおいてノイズ低減処理が行われた複数の画像データが一駒の画像を表すように合成する画像合成手段，
を備えたノイズ低減装置。
【請求項２】
上記画像データ分割手段が，
与えられる一駒分の画像データの周波数帯域を維持している画像データを含むように複数の画像データに分けるものである，
請求項１に記載のノイズ低減装置。
【請求項３】
上記画像データ分割手段が，
分けられた複数の画像データの周波数帯域のうち一の周波数帯域が他の周波数帯域に含まれる，あるいは含まれないように異なる周波数帯域をもつように複数の画像データに分けるものである，
請求項１に記載のノイズ低減装置。
【請求項４】
上記与えられる一駒分の画像データによって表される画像の情報にもとづいて上記複数のノイズ低減処理回路のそれぞれの回路において行われる画像データの周波数帯域に対応したノイズ低減処理を制御するノイズ低減処理制御手段，
をさらに備えた請求項１に記載のノイズ低減装置。
【請求項５】
上記画像データ分割手段に与えられる一駒分の画像データが，画像ファイルの画像データ記録領域に記録され，画像情報が上記画像ファイルのヘッダ記録領域に記録されており，
上記画像ファイルに記録されている画像データおよび画像情報を読み取る読み取り手段，ならびに
上記読み取り手段によって読み取られた画像情報にもとづいて上記複数のノイズ低減処理回路のそれぞれの回路において行われる画像データの周波数帯域に対応したノイズ低減処理回路を制御するノイズ低減処理制御手段，
をさらに備えた請求項１に記載のノイズ低減装置。
【請求項６】
上記与えられる一駒分の画像データが，複数の色成分をもつカラー画像データであり，
上記画像データ分割手段が，色成分ごとに異なる周波数帯域をもつように複数の画像データに分けるものである，
請求項１に記載のノイズ低減装置。
【請求項７】
与えられる一駒分の画像データを，異なる周波数帯域をもつように複数の画像データに分ける画像データ分割手段，
上記画像データ分割手段によって異なる周波数帯域をもつように分けられた画像データのそれぞれに対応して輪郭補正回路が設けられており，それぞれの輪郭補正回路が，与えられる画像データの周波数帯域に対応した輪郭補正を行う複数の輪郭補正回路，および
上記複数の輪郭補正回路のそれぞれにおいて輪郭補正が行われた複数の画像データが一駒の画像を表すように合成する画像合成手段，
を備えた輪郭補正装置。
【請求項８】
与えられる一駒分の画像データを，異なる周波数帯域をもつように複数の画像データに分ける画像データ分割手段，
上記画像データ分割手段によって異なる周波数帯域をもつように分けられた画像データのそれぞれに対応して色補正回路が設けられており，それぞれの色補正回路が，与えられる画像データの周波数帯域に対応した色補正を行う複数の色補正回路，および
上記複数の色補正回路のそれぞれにおいて色補正が行われた複数の画像データが一駒の画像を表すように合成する画像合成手段，
を備えた色補正装置。
【請求項９】
与えられる一駒分の画像データを，異なる周波数帯域をもつように複数の画像データに分け，
異なる周波数帯域をもつように分けられた画像データのそれぞれに対応して複数のノイズ低減処理回路を設け，
それぞれのノイズ低減処理回路において，与えられる画像データの周波数帯域に対応したノイズ低減処理を行い，
上記複数のノイズ低減回路のそれぞれにおいてノイズ低減処理が行われた複数の画像データが一駒の画像を表すように合成する，
ノイズ低減方法。
【請求項１０】
与えられる一駒分の画像データを，異なる周波数帯域をもつように複数の画像データに分け，
異なる周波数帯域をもつように分けられた画像データのそれぞれに対応して複数の輪郭補正回路を設け，
それぞれの輪郭補正回路において，与えられる画像データの周波数帯域に対応した輪郭補正を行い，
上記複数の輪郭補正回路のそれぞれにおいて輪郭補正が行われた複数の画像データが一駒の画像を表すように合成する，
輪郭補正方法。
【請求項１１】
与えられる一駒分の画像データを，異なる周波数帯域をもつように複数の画像データに分け，
異なる周波数帯域をもつように分けられた画像データのそれぞれに対応して複数の色補正回路を設け，
それぞれの色補正回路において，与えられる画像データの周波数帯域に対応した色補正を行い，
上記複数の色補正回路のそれぞれにおいて色補正が行われた複数の画像データが一駒の画像を表すように合成する，
色補正方法。
【請求項１２】
与えられる一駒分の画像データを，異なる周波数帯域をもつように複数の画像データに分け，
異なる周波数帯域をもつように分けられた画像データのそれぞれに対応したノイズ低減処理を行い，
ノイズ低減処理が行われた複数の画像データが一駒の画像を表すように合成するようにコンピュータを制御するプログラム。
【請求項１３】
与えられる一駒分の画像データを，異なる周波数帯域をもつように複数の画像データに分け，
異なる周波数帯域をもつように分けられた画像データのそれぞれに対応した輪郭補正を行い，
輪郭補正が行われた複数の画像データが一駒の画像を表すように合成するようにコンピュータを制御するプログラム。
【請求項１４】
与えられる一駒分の画像データを，異なる周波数帯域をもつように複数の画像データに分け，
異なる周波数帯域をもつように分けられた画像データのそれぞれに対応した色補正を行い，
色補正が行われた複数の画像データが一駒の画像を表すように合成するようにコンピュータを制御するプログラム。
【発明の詳細な説明】
【技術分野】
【０００１】
この発明は，ノイズ低減装置，輪郭補正装置および色補正装置ならびにそれらの制御プログラムならびにノイズ低減方法，輪郭補正方法および色補正方法に関する。
【背景技術】
【０００２】
ディジタル・カメラなどを用いて被写体を撮像することにより得られる被写体像については，画質を改善するためにノイズ低減処理，輪郭補正処理などが行われている（特許文献１）。しかしながら，必ずしも最適な画質改善を達成することはできないことがある。
【特許文献１】特開平４−235472号公報
【０００３】
また，画像を周波数帯域ごとに分割することも考えられているが，必ずしも画質が良好とはならない（特許文献２）。
【特許文献２】特開2002−74356号公報
【０００４】
この発明は，画質を改善することを目的とする。
【０００５】
第１の発明によるノイズ低減装置は，与えられる一駒分の画像データを，異なる周波数帯域をもつように複数の画像データに分ける画像データ分割手段，上記画像データ分割手段によって異なる周波数帯域をもつように分けられた画像データのそれぞれに対応してノイズ低減処理回路が設けられており，それぞれのノイズ低減処理回路が，与えられる画像データの周波数帯域に対応したノイズ低減処理を行う複数のノイズ低減処理回路，および上記複数のノイズ低減回路のそれぞれにおいてノイズ低減処理が行われた複数の画像データが一駒の画像を表すように合成する画像合成手段を備えていることを特徴とする。
【０００６】
第１の発明は，上記ノイズ低減装置に適した方法も提供している。すなわち，与えられる一駒分の画像データを，異なる周波数帯域をもつように複数の画像データに分け，異なる周波数帯域をもつように分けられた画像データのそれぞれに対応して複数のノイズ低減処理回路を設け，それぞれのノイズ低減処理回路において，与えられる画像データの周波数帯域に対応したノイズ低減処理を行い，上記複数のノイズ低減回路のそれぞれにおいてノイズ低減処理が行われた複数の画像データが一駒の画像を表すように合成するものである。
【０００７】
第１の発明は，上記方法を実施するためのプログラムも提供している。
【０００８】
第１の発明によると，一駒分の画像データが与えられる。与えられた一駒分の画像データが異なる周波数帯域をもつように複数の画像データに分けられる。異なる周波数帯域をもつ複数の画像データに対応して複数のノイズ低減処理回路が設けられており，与えられる画像データの周波数帯域に対応したノイズ低減処理が行われる。ノイズ低減処理が行われた複数の画像データが一駒の画像を表すように合成される。
【０００９】
第１の発明によると，画像データが異なる周波数帯域をもつように分けられ，それらの周波数帯域ごとに適したノイズ低減処理が行われるようになる。画像を構成する各領域（周波数帯域）ごとに適切なノイズ低減処理を行うことができるようになる。
【００１０】
上記画像データ分割手段は，与えられる一駒分の画像データの周波数帯域を維持している画像データを含むように複数の画像データに分けるものでもよい。
【００１１】
上記画像データ分割手段は，分けられた複数の画像データの周波数帯域のうち一の周波数帯域が他の周波数帯域に含まれるものでもよいし，あるいは含まれないように異なる周波数帯域をもつように複数の画像データに分けるものでもよい。
【００１２】
上記与えられる一駒分の画像データによって表される画像の情報にもとづいて上記複数のノイズ低減処理回路のそれぞれの回路において行われる画像データの周波数帯域に対応したノイズ低減処理を制御するノイズ低減処理制御手段をさらに備えることが好ましい。
【００１３】
画像情報は，ユーザによって設定されるもの，あらかじめ記憶されているもの，算出されるものなどがある。ユーザによって設定されるものには，ディジタル・カメラによって画像データが得られるものであれば，ＩＳＯ感度設定，ホワイト・バランス・ゲイン，色補正係数，画質モードなどがある。あらかじめ記憶されているものには，撮像ディバイスの特性，シェーディング特性，ガンマ特性，ストロボ発光時の補正特性，記録画素数，再現帯域特性などがある。算出されるものには，シャッタ・スピード，EV/LV値，レンズ・ディストーション特性，絞り，ズーム・ポジション，色収差特性などがある。
【００１４】
上記画像データ分割手段に与えられる一駒分の画像データが，画像ファイルの画像データ記録領域に記録され，画像情報が上記画像ファイルのヘッダ記録領域に記録されている場合には，上記画像ファイルに記録されている画像データおよび画像情報を読み取る読み取り手段，ならびに上記読み取り手段によって読み取られた画像情報にもとづいて上記複数のノイズ低減処理回路のそれぞれの回路において行われる画像データの周波数帯域に対応したノイズ低減処理回路を制御するノイズ低減処理制御手段をさらに備えることが好ましい。
【００１５】
上記与えられる一駒分の画像データが，複数の色成分をもつカラー画像データの場合には，上記画像データ分割手段は，色成分ごとに異なる周波数帯域をもつように複数の画像データに分けるものがよい。
【００１６】
第２の発明による輪郭補正装置は，与えられる一駒分の画像データを，異なる周波数帯域をもつように複数の画像データに分ける画像データ分割手段，上記画像データ分割手段によって異なる周波数帯域をもつように分けられた画像データのそれぞれに対応して輪郭補正回路が設けられており，それぞれの輪郭補正回路が与えられる画像データの周波数帯域に対応した輪郭補正を行う複数の輪郭補正回路，および上記複数の輪郭補正回路のそれぞれにおいて輪郭補正が行われた複数の画像データが一駒の画像を表すように合成する画像合成手段を備えていることを特徴とする。
【００１７】
第２の発明は，上記輪郭補正装置に適した方法も提供している。すなわち，この方法は，与えられる一駒分の画像データを，異なる周波数帯域をもつように複数の画像データに分け，異なる周波数帯域をもつように分けられた画像データのそれぞれに対応して複数の輪郭補正回路を設け，それぞれの輪郭補正回路において，与えられる画像データの周波数帯域に対応した輪郭補正を行い，上記複数の輪郭補正回路のそれぞれにおいて輪郭補正が行われた複数の画像データが一駒の画像を表すように合成するものである。
【００１８】
第２の発明は，上記輪郭補正方法を実現するためのプログラムも提供している。
【００１９】
第２の発明によると，一駒分の画像データが与えられる。与えられた一駒分の画像データが異なる周波数帯域をもつように複数の画像データに分けられる。異なる周波数帯域をもつ複数の画像データに対応して複数の輪郭補正回路が設けられており，与えられる画像データの周波数帯域に対応して輪郭補正処理が行われる。輪郭補正処理が行われた複数の画像データが一駒の画像を表すように合成される。
【００２０】
第２の発明によると，画像データが異なる周波数帯域をもつように分けられ，それらの周波数帯域ごとに適した輪郭補正処理が行われるようになる。画像を構成する各領域ごとに適切な輪郭補正処理を行うことができるようになる。
【００２１】
第３の発明による色補正装置は，与えられる一駒分の画像データを，異なる周波数帯域をもつように複数の画像データに分ける画像データ分割手段，上記画像データ分割手段によって異なる周波数帯域をもつように分けられた画像データのそれぞれに対応して色補正回路が設けられており，それぞれの色補正回路が与えられる画像データの周波数帯域に対応した色補正を行う複数の色補正回路，および上記複数の色補正回路のそれぞれにおいて色補正が行われた複数の画像データが一駒の画像を表すように合成する画像合成手段を備えていることを特徴とする。
【００２２】
第３の発明は，上記色補正装置に適した方法も提供している。すなわち，この方法は，与えられる一駒分の画像データを，異なる周波数帯域をもつように複数の画像データに分け，異なる周波数帯域をもつように分けられた画像データのそれぞれに対応して複数の色補正回路を設け，それぞれの色補正回路において，与えられる画像データの周波数帯域に対応した色補正を行い，上記複数の色補正回路のそれぞれにおいて色補正が行われた複数の画像データが一駒の画像を表すように合成するものである。
【００２３】
第３の発明は，上記方法を実現するためのプログラムも提供している。
【００２４】
第３の発明によると，一駒分の画像データが与えられる。与えられた一駒分の画像データが異なる周波数帯域をもつように複数の画像データに分けられる。異なる周波数帯域をもつ複数の画像データに対応して複数の色補正回路が設けられており，与えられる画像データの周波数帯域に対応して色補正処理が行われる。色補正処理が行われた複数の画像データが一駒の画像を表すように合成される。
【００２５】
第３の発明によると，画像データが異なる周波数帯域をもつように分けられ，それらの周波数帯域ごとに適した色補正処理が行われるようになる。画像を構成する各領域ごとに適切な色補正処理を行うことができるようになる。
【００２６】
上記第２の発明および上記第３の発明においても上記第１の発明と同様に与えられる一駒分の画像データの周波数帯域を維持している画像データを含むように画像データに分けるようにしてもよいし，分けられた複数の画像データの周波数帯域のうち一の周波数帯域が他の周波数帯域に含まれる，あるいは含まれないように異なる周波数帯域をもつように複数の画像データに分けるのもよい。また，上記与えられる一駒分の画像データが，複数の色成分をもつカラー画像データの場合には，上記画像データ分割手段が，色成分ごとに異なる周波数帯域をもつように複数の画像データに分けるのもよい。
【００２７】
さらに，上記ノイズ低減処理制御手段，読み取り手段などに対応する輪郭補正制御手段，色補正制御手段，読み取り手段を設けるようにしてもよい。
【実施例】
【００２８】
図１は，この発明の実施例を示すもので，ディジタル・スチル・カメラの電気的構成を示すブロック図である。
【００２９】
撮像レンズ１によって被写体が撮像され，被写体像を表す光像がＣＣＤのような撮像素子２の受光面上に結像する。撮像素子２からは，カラーの被写体像（白黒でもよい）を表すカラー映像信号が出力され，アナログ／ディジタル変換および撮像処理回路３に入力する。
【００３０】
カラー映像信号がアナログ／ディジタル変換および撮像処理回路３においてディジタル・カラー画像データに変換される。変換された画像データについてガンマ補正，白バランス調整などの所定の撮像処理が行われる。アナログ／ディジタル変換および撮像処理回路３から出力された画像データは，データ制御回路４に与えられる。データ制御回路４によって，表示装置（図示略）に画像データが与えられることにより，被写体像が表示される。
【００３１】
シャッタ・レリーズ・ボタン（図示略）が押されると，上述のようにしてアナログ／ディジタル変換および撮像処理回路３から出力された画像データはデータ制御回路４によって内部メモリ５に与えられ，一時的に記憶される。画像データは，データ制御回路４によって内部メモリ５から読み取られ，画像処理回路６に与えられる。画像処理回路６において，周波数帯域ごとのそれぞれに適したノイズ低減処理が行われる。画像処理回路６における処理について詳しくは後述する。
【００３２】
画像処理回路６から出力された画像データは，データ制御回路４によってメモリ・カード７に記録されることとなる。
【００３３】
再生時には，メモリ・カード７に記録されている画像データがデータ制御回路４によって読み取られる。読み取られた画像データによって表される画像が表示装置（図示略）に与えられることにより，再生された画像が表示される。
【００３４】
図２は，画像処理回路６の電気的構成を示すブロック図である。
【００３５】
画像処理回路６に入力した画像データは，画像データ分割回路10に入力する。画像データは，画像データ分割回路10において，異なる周波数帯域をもつ３つの画像データに分割される。もちろん，３つの画像データではなく，２または４以上の画像データに分割するようにしてもよい。３つに分割された第１の画像データＤ11，第２の画像データＤ12および第３の画像データＤ13の周波数特性が，図３（Ａ），（Ｂ）および（Ｃ）に示されている。このように，第１の画像データＤ11は，周波数がｆ11以下の低域の周波数成分をもち，中域の周波数成分および高域の周波数成分をもたない。第２の画像データＤ12は，周波数がｆ12（ｆ11＜ｆ12）以下の低域および中域の周波数成分をもち，高域の周波数成分をもたない。第３の画像データＤ13は，周波数がｆ13（ｆ12＜ｆ13）以下の低域，中域および高域の周波数成分をもつ。もっとも，第３の画像データＤ13は，周波数がｆ13以下のものに限らず，入力した画像データそのものでもよい。
【００３６】
画像データの分割は，多段のフィルタを用いた処理，多重解像度処理，ウェーブレット変換を用いた処理などを利用できる。
【００３７】
画像データ分割回路10から出力した帯域成分の異なる第１の画像データＤ11，第２の画像データＤ12および第３の画像データＤ13は，第１のノイズ低減回路11，第２のノイズ低減回路12および第３のノイズ低減回路13にそれぞれ入力する。第１のノイズ低減回路11，第２のノイズ低減回路12および第３のノイズ低減回路13は，それぞれ入力する画像データの帯域成分に適したノイズ低減処理を行うものである。第１のノイズ低減回路11は，低域の帯域成分に適したノイズ低減処理を行うもので，ノイズ低減処理が比較的弱くなるように，ノイズ・パラメータｇ11が設定されている。第２のノイズ低減回路12は，低域及び中域の帯域成分に適したノイズ低減処理を行うもので，ノイズ低減処理が比較的強くなるように，ノイズ・パラメータｇ12が設定されている。第３のノイズ低減回路13は，低域，中域および高域の帯域成分に適したノイズ低減処理を行うもので，ノイズ低減処理が比較的弱くなるように，ノイズ・パラメータｇ13が設定されている。このように，第１，第２および第３のノイズ低減回路11，12および13が，帯域成分に応じて設定されていることにより，中域の帯域成分のノイズが多い画像データのノイズを効果的に除去できる。このようなノイズ低減の方法は，輪郭補正処理などが行われている画像データなどに特に有効である。
【００３８】
第１，第２および第３のノイズ低減回路11，12および13から出力されたノイズ低減後の第１，第２および第３の画像データＤ11，Ｄ12およびＤ13は，画像データ合成回路14に入力する。画像データ合成回路14において，一駒の被写体像を表すように画像データ合成処理が行われる。画像データの合成は，加算処理，減算処理などを利用することにより実現できる。画像データ合成回路14からの出力が，画像処理回路６の出力となり，上述したように，メモリ・カード７に記録される。
【００３９】
図４は，コンピュータ装置の電気的構成を示すブロック図である。
【００４０】
コンピュータ装置を利用しても上述したように，周波数帯域ごとに適したノイズ低減処理を実現できる。
【００４１】
コンピュータ装置には，ＣＰＵ20が含まれている。このＣＰＵ20に，表示装置21およびプリンタ22が接続されている。また，コンピュータ装置に指令等を入力するためのキーボード23がＣＰＵ20に接続されている。さらに，ＣＰＵ20には，画像データ等を一時的に記憶するメモリ24が接続されている。
【００４２】
また，コンピュータ装置には，メモリ・カード・リーダ・ライタ25が含まれており，このメモリ・カード・リーダ・ライタ25によって，メモリ・カード26に記録されている画像データ読み取りおよびメモリ・カード26への画像データの書き込みができる。さらに，コンピュータ装置には，CD-ROMドライブ27が接続されている。このCD-ROMドライブ27に，上述したノイズ低減（後述する輪郭補正，色補正）のプログラムが格納されているCD-ROM28が装填されることにより，CD-ROMからプログラムが読み取られ，読み取られたプログラムがコンピュータ装置にインストールされる。
【００４３】
さらに，コンピュータ装置には，ハードディスク・ドライブ29が含まれており，ノイズ低減処理が行われた画像データをハードディスク30に記録できる。
【００４４】
図５は，ノイズ低減処理の手順を示すフローチャートである。
【００４５】
メモリ・カード26がメモリ・カード・リーダ・ライタ25に装填されることにより，メモリ・カード26に記録されている画像データが読み取られる。読み取られた画像データが上述したように，低域，低域および中域ならびに低域，中域および広域の３つの画像データに分割される（ステップ41）。３つの画像データのそれぞれに対応してパラメータを用いて，それぞれの画像データに対してノイズ低減処理が行われる（ステップ42）。周波数帯域に対応してノイズ低減処理が行われた３つの画像データが合成され，一駒の画像を表す画像データが生成されることとなる（ステップ43）。
【００４６】
図６および図７は，変形例を示すものである。
【００４７】
図６は，画像処理回路の電気的構成を示すブロック図である。
【００４８】
画像処理回路６Ａは，カラー画像データを入力するもので，色成分ごとに上述した画像データの分割処理およびノイズ低減処理が行われるものである。
【００４９】
画像処理回路６Ａには，Ｒ（赤），Ｇ（緑）およびＢ（青）の三原色の色成分を含むカラー画像データが入力する。カラー画像データは，色空間変換回路50において，輝度データＹならびに色差データＣｒおよびＣｂに変換（生成）される。色空間変換回路50から出力された輝度データＹならびに色差データＣｒおよびＣｂは，第１の画像データ分割回路51，第２の画像データ分割回路52および第３の画像データ分割回路53にそれぞれ入力する。
【００５０】
第１の画像データ分割回路51は，輝度データＹ用のもので，上述したのと同様に，入力した輝度データを低域の周波数成分，低域および中域の周波数成分ならびに低域，中域および高域の周波数成分のそれぞれをもつ第１の輝度データＹ11，第２の輝度データＹ12および第３の輝度データＹ13に分割する。第１の輝度データＹ11，第２の輝度データＹ12および第３の輝度データＹ13は，それぞれ低域用のノイズ低減回路54，中域用のノイズ低減回路55および高域用のノイズ低減回路56に入力する。上述したのと同様に，第１のノイズ低減回路54および第３のノイズ低減回路56には，弱めのノイズ低減処理が行われるようなパラメータが設定されており，第２のノイズ低減回路55には，強めのノイズ低減処理が行われるようなパラメータが設定されている。中域の輝度データＹ12についてノイズ低減が強調されるようなノイズ低減処理が行われる。第１，第２および第３のノイズ低減回路54，55および56から出力された輝度データＹ11，Ｙ12およびＹ13が第１の画像データ合成回路63に与えられる，一駒分の画像を表す輝度データが得られる。この輝度データＹがデータ制御回路４に与えられることにより，周波数帯域に応じた適切なノイズ低減処理が行われた輝度データがメモリ・カードに記録されることとなる。
【００５１】
第２の画像データ分割回路52は，色差データＣｒ用のもので，低域の周波数成分，低域および中域の周波数成分ならびに低域，中域および高域の周波数成分のそれぞれをもつ第１の色差データＣｒ11，第２の色差データＣｒ12および第３の色差データＣｒ13に分割する。分割された第１の色差データＣｒ11，第２の色差データＣｒ12および第３の色差データＣｒ13が，低域の周波数成分，低域および中域の周波数成分ならびに低域，中域および高域の周波数成分のそれぞれのノイズ低減に適したパラメータが設定されている第１，第２および第３のノイズ低減回路57，58および59に入力する。ノイズ低減された第１の色差データＣｒ11，第２の色差データＣｒ12および第３の色差データＣｒ13が第２の画像データ合成回路64に入力することにより，第２の画像データ合成回路64において，一駒の画像を表す色差データＣｒが生成される。
【００５２】
第３の画像データ分割回路53は，色差データＣｂ用のもので，低域の周波数成分，低域および中域の周波数成分ならびに低域，中域および高域の周波数成分のそれぞれをもつ第１の色差データＣｂ11，第２の色差データＣｂ12および第３の色差データＣｂ13に分割する。分割された第１の色差データＣｂ11，第２の色差データＣｂ12および第３の色差データＣｂ13が，低域の周波数成分，低域および中域の周波数成分ならびに低域，中域および高域の周波数成分のそれぞれのノイズ低減に適したパラメータが設定されている第１，第２および第３のノイズ低減回路60，61および62に入力する。ノイズ低減された第１の色差データＣｂ11，第２の色差データＣｂ12および第３の色差データＣｂ13が第３の画像データ合成回路65に入力することにより，第３の画像データ合成回路65において，一駒の画像を表す色差データＣｂが生成される。
【００５３】
このように，色成分ごとにノイズ低減処理の程度を変えることができるようになる。たとえば，入力する画像データがタングステン光のもとでの撮影により得られたようなものである場合には，青色成分が強くなるような処理が行われていることがあるが，このような場合に色差データＣｂのノイズをより抑えることができるようになる。
【００５４】
上述した処理においては，入力したカラー画像データの色空間を変換する処理が行われていたが，単に色成分ごとに分ける処理を行うものでもよい。また，色空間は，輝度データＹならびに色差データＣｒおよびＣｂだけにかぎらず，Ｌａｂ色空間などほかのものでもよいのはいうまでもない。
【００５５】
上述した処理はノイズ低減についてのものであるが，輪郭補正についても同様に行うことができる。たとえば，青色成分のゲインが向上するような白バランス調整が行われた画像データが与えられた場合に，色差データＣｒおよびＣｂの中域および高域成分を相対的に弱くするようにする。また，色補正も同様であり，たとえば，特定の色を強調したい場合に，その強調したい色の低域周波数成分の画像データを強調することができる。
【００５６】
図７は，ノイズ低減の処理手順を示すフローチャートである。
【００５７】
まず，入力したカラー画像データの色空間が変換される（ステップ71）。周波数帯域ごとに画像データが分割されるように，色空間ごとに画像データの分割処理が行われる（ステップ72）。周波数帯域に対応したパラメータを用いて，周波数帯域に適したノイズ低減処理が行われる（ステップ73）。分割された画像データが色空間ごとに一駒の画像となるように画像データの合成が行われる（ステップ74）。
【００５８】
図８および図９は，他の実施例を示すものである。
【００５９】
図８は，画像処理回路の電気的構成を示すブロック図である。
【００６０】
上述した画像処理回路がノイズ低減のためのものであるのに対し，図８に示す画像処理回路６Ｂは，輪郭補正のためのものである。この輪郭補正処理も画像データの周波数帯域ごとに，周波数帯域に適するように行われる。また，低域成分，中域成分および高域成分の３つの輪郭画像を表すデータに対して輪郭補正が行われる。
【００６１】
画像処理回路６Ｂに入力した画像データは，画像データ分割回路80において低域成分の第１の画像データＤ21，中域成分の第２の画像データＤ22および高域成分の第３の画像データＤ23に分割される。第１の画像データＤ21は，図９（Ａ）に示すように，周波数ｆ21〜ｆ22までの低域の周波数成分をもつものである。第２の画像データＤ22は，図９（Ｂ）に示すように，周波数ｆ23〜ｆ24までの中域の周波数成分をもつものである。第３の画像データＤ23は，図９（Ｃ）に示すように，周波数ｆ25〜ｆ26までの高域の周波数成分をもつものである。但し，ｆ21＜ｆ22＜ｆ23＜ｆ24＜ｆ25＜ｆ26である。
【００６２】
第１の画像データＤ21，第２の画像データＤ22および第３の画像データＤ23は，第１の輪郭補正回路81，第２の輪郭補正回路82および第３の輪郭補正回路83に入力する。第１の輪郭補正回路81は，低域用のもので，輪郭補正（強調）の程度が比較的弱くなるように設定されている。第２の輪郭補正回路82および第３の輪郭補正回路83は，それぞれ中域用および高域用のもので，輪郭補正の程度が比較的高くなるように設定されている。中域および高域の輪郭画像を表す画像データＤ22およびＤ23が低域の輪郭画像を表す画像データよりりも輪郭補正の程度が高いので，見栄えのよい画像が得られるようになる。
【００６３】
第１の輪郭補正回路81，第２の輪郭補正回路82および第３の輪郭補正回路83から出力した輪郭補正後の画像データＤ21，Ｄ22およびＤ23が画像データ合成回路84に入力する。画像データ合成回路84において，画像データの合成が行われ，一駒の画像を表す画像データが生成される。
【００６４】
図10は，さらに他の実施例を示すもので，画像処理回路の電気的構成を示すブロック図である。
【００６５】
図10に示す画像処理回路６Ｃは，色補正のためのものである。この色補正処理も画像データの周波数帯域ごとに，周波数帯域に適するように行われる。また，低域成分，中域成分および高域成分の３つの異なる周波数成分データに対して色補正が行われる。
【００６６】
画像処理回路６Ｃに入力した画像データは，上述した輪郭補正と同様に，画像データ分割回路90において低域成分の第１の画像データＤ21，中域成分の第２の画像データＤ22および高域成分の第３の画像データＤ23に分割される。上述したように，第１の画像データＤ21は，図９（Ａ）に示すように，周波数ｆ21〜ｆ22までの低域の周波数成分をもつものである。第２の画像データＤ22は，図９（Ｂ）に示すように，周波数ｆ23〜ｆ24までの中域の周波数成分をもつものである。第３の画像データＤ23は，図９（Ｃ）に示すように，周波数ｆ25〜ｆ26までの高域の周波数成分をもつものである。
【００６７】
第１の画像データＤ21，第２の画像データＤ22および第３の画像データＤ23は，第１の色補正回路91，第２の色補正回路92および第３の色補正回路93に入力する。第１の色補正回路91は，低域用のもので，色補正（強調）の程度が比較的強くなるように設定されている。第２の色補正回路92および第３の色補正回路93は，それぞれ中域用および高域用のもので，輪郭補正の程度が比較的弱くなるように設定されている。中域および高域の周波数成分を表す画像データＤ22およびＤ23が低域の周波数成分を表す画像データよりも色補正の程度が弱いので，中域および高域のノイズを増加させることなく色味を強調できるようになる。
【００６８】
第１の色補正回路91，第２の色補正回路92および第３の色補正回路93から出力した色補正後の画像データＤ21，Ｄ22およびＤ23が画像データ合成回路94に入力する。画像データ合成回路94において，画像データの合成が行われ，一駒の画像を表す画像データが生成される。
【００６９】
図11から図15は，ノイズ低減処理についてのさらに他の実施例を示すものである。
【００７０】
図11は，ディジタル・スチル・カメラの電気的構成を示すブロック図である。この図において，図１に示すものと同一物には同一符号を付して説明を省略する。
【００７１】
上述したディジタル・スチル・カメラ等における画像処理（ノイズ低減処理，輪郭補正処理，色補正処理など）においては，画像処理に用いられるパラメータ等があらかじめ設定されているが，図11に示すディジタル・スチル・カメラにおいては，画像情報を取得して，取得した画像情報にもとづいて画像処理に用いられるパラメータ等を決定するものである。
【００７２】
画像情報には，ユーザによって設定されるもの，あらかじめ記憶されているもの，算出されるものなどがあるが，以下に示す例では，ユーザによって設定されるモードに応じて，画像処理に用いられるパラメータを決定する。
【００７３】
ディジタル・スチル・カメラには，モード・スイッチ101が含まれている。このモード・スイッチ101を用いて，撮像モードまたは再生モードを設定できる。さらに，撮像モードには，被写体が人物の場合に設定される人物モード，被写体が風景の場合に設定される風景モード，被写体が文字の場合に設定される文字モード，赤みを強調する赤み強調モードなどがある。これらの人物モード，風景モード，文字モード，赤み強調モードなどのモードもモード・スイッチ101を用いて設定することができる。
【００７４】
モード・スイッチ101において設定されたモードを示す信号は，画像処理制御回路102に入力する。画像処理制御回路102において，モード・スイッチ101によって設定されたモードに応じて，画像処理回路103において行われる画像処理のパラメータ等が決定される。決定されたパラメータ等を表すデータが画像処理回路103に与えられる。画像処理制御回路102から与えられたパラメータにしたがって画像処理回路103において，周波数帯域ごとに適した画像処理が行われる。
【００７５】
図12は，画像処理回路103の電気的構成を示すブロック図である。
【００７６】
モード・スイッチ102により，撮像モードにおいて文字モードが設定されたものとする。
【００７７】
データ制御回路４から与えられる画像データは，画像データ分割回路110において低域周波数成分を含む第１の画像データＤ11，低域周波数成分および中域周波数成分を含む第２の画像データＤ12ならびに低域周波数成分，中域周波数成分および高域周波数成分を含む第３の画像データＤ13（図３参照）に分割される。これらの第１の画像データＤ11，第２の画像データＤ12および第３の画像データＤ13は，第１のノイズ低減回路111，第２のノイズ低減回路112および第３のノイズ低減回路113に入力する。
【００７８】
第１のノイズ低減回路111，第２のノイズ低減回路112および第３のノイズ低減回路113には，上述した画像処理制御回路102から，周波数帯域ごとに分割された画像データに対して周波数帯域ごとおよび設定された文字モードに対応したノイズ低減のための第１のパラメータｇ11，ｇ12およびｇ13が与えられる。第１のパラメータｇ11は，強めのノイズ低減が行われように設定される。第２のパラメータｇ12および第３のパラメータｇ13は，弱めのノイズ低減が行われるように設定される。文字モードが設定されている場合には，文字がくっきり見えることが好ましいので低周波成分を強調されるようになり，その分のノイズも強調されるため，低周波数のノイズ低減を強める。
【００７９】
第１のノイズ低減回路111，第２のノイズ低減回路112および第３のノイズ低減回路113においてノイズ低減処理が行われたそれぞれの画像データは，画像データ合成回路114に与えられる。画像データ合成回路114において，画像データの合成が行われる。
【００８０】
上述した処理をコンピュータ装置によって行っても良い。
【００８１】
図13は，上述したノイズ低減処理の処理手順を示すフローチャートである。
【００８２】
まず，入力した画像データが周波数帯域ごとに３つの画像データＤ11，Ｄ12およびＤ13に分けられる（ステップ121）。つづいて，モード・スイッチ101によって設定されているモードが画像処理制御回路102において読み取られる（ステップ122）。読み取られたモードに応じて，それぞれの周波数帯域に対応したパラメータがそれぞれ決定される（ステップ123）。決定したパラメータを用いて，周波数帯域ごとに分割された画像データに対してノイズ低減が行われる（ステップ124）。ノイズ低減され，かつ周波数帯域ごとに分割された画像データが一駒の画像となるように画像データの合成が行われる（ステップ125）。
【００８３】
図14は，変形例を示すもので，ノイズ低減のための画像処理回路の電気的構成を示すブロック図である。
【００８４】
モード・スイッチ102において赤み強調モードが設定されたものとする。
【００８５】
上述したのと同様に（図６参照），カラー画像データが色空間変換回路130において輝度データＹならびに色差データＣｒおよびＣｂに変換される。輝度データは，第１の画像データ分割回路131において，低周波数帯域の第１の輝度データＹ11，低周波数帯域および中周波数帯域の第２の輝度データＹ12，ならびに低周波数帯域，中周波数帯域および高周波数帯域の第３の輝度データＹ13に分割され，第１のノイズ低減回路134，第２のノイズ低減回路135および第３のノイズ低減回路136に入力する。色差データＣｒは，第２の画像データ分割回路132において，低周波数帯域の第１の色差データＣｒ11，低周波数帯域および中周波数帯域の第２の色差データＣｒ12，ならびに低周波数帯域，中周波数帯域および高周波数帯域の第３の色差データＣｒ13に分割され，第４のノイズ低減回路137，第５のノイズ低減回路138および第６のノイズ低減回路139に入力する。色差データＣｂは，第３の画像データ分割回路133において，低周波数帯域の第１の色差データＣｂ11，低周波数帯域および中周波数帯域の第２の色差データＣｂ12，ならびに低周波数帯域，中周波数帯域および高周波数帯域の第３の色差データＣｂ13に分割され，第７のノイズ低減回路140，第８のノイズ低減回路141および第９のノイズ低減回路142に入力する。
【００８６】
第１のノイズ低減回路134から第９のノイズ低減回路142には，画像処理制御回路102から，それぞれのノイズ低減回路に対応したパラメータが与えられている。モード・スイッチ102において赤み強調モードが設定されている場合には，赤色成分の画像データのノイズが抑えられるように，画像処理制御回路102においてパラメータが決定される。すなわち，第４から第６のノイズ低減回路137から139に与えられるパラメータが他のノイズ低減回路134から136および140から142に与えられるパラメータよりもノイズの程度が抑えられるように決定される。
【００８７】
第１から第３のノイズ低減回路134から136の出力輝度データＹは，第１の画像データ合成回路143に与えられ，一駒の画像を表す輝度データＹが生成される。第４から第６のノイズ低減回路137から139の出力色差データＣｒは，第２の画像データ合成回路144に与えられ，一駒の画像を表す色差データＣｒが生成される。第７から第９のノイズ低減回路140から142の出力色差データＣｂは，第３の画像データ合成回路145に与えられ，一駒の画像を表す色差データＣｂが生成される。
【００８８】
このように，画像情報（設定されたモードが一例である）に応じて，色成分ごとにノイズ低減処理の程度を変えることができる。
【００８９】
図15は，ノイズ低減処理の処理手順を示すフローチャートである。
【００９０】
まず，入力したカラー画像データの色空間が変換される（ステップ151）。色空間ごとの画像データが周波数帯域ごとにそれぞれ分割される（ステップ152）。
【００９１】
つづいて，設定されているモードが読み取られ（ステップ153），読み取られたモードに応じて，周波数帯域に対応したパラメータがそれぞれ決定される（ステップ154）。決定したパラメータを用いて，色成分ごとにかつ周波数帯域ごとに画像データのノイズ低減処理が行われる（ステップ155）。ノイズ低減された画像データが色空間ごとに，一駒の画像となるように合成される（ステップ156）。
【００９２】
図16は，他の実施例を示すもので，輪郭補正を行う画像処理回路の電気的構成を示すブロック図である。モード・スイッチ102によって文字モードが設定されたものとする。
【００９３】
画像データが画像データ分割回路160によって，低域周波数成分の第１の輪郭画像データＤ21，中域周波数成分の第２の輪郭画像データＤ22および高域周波数成分の第３の輪郭画像データＤ23に分割される（図９参照）。第１の輪郭画像データＤ11，第２の輪郭画像データＤ12および第３の輪郭画像データＤ13は，第１の輪郭補正回路161，第２の輪郭補正回路162および第３の輪郭補正回路163に入力する。
【００９４】
第１の輪郭補正回路161，第２の輪郭補正回路162および第３の輪郭補正回路163には，画像処理制御回路102からパラメータが与えられている。文字モードが設定されている場合には，文字がくっきり見えることが好ましいので，低周波数成分の輪郭画像データについて輪郭が強調されるようにパラメータが設定される。すなわち，第１の輪郭補正回路161に与えられるパラメータｇ21は，第２の輪郭補正回路162および第３の輪郭補正回路163に与えられるパラメータｇ22およびｇ23よりも強められる。
【００９５】
第１の輪郭性回路161，第２の輪郭補正回路162および第３の輪郭補正回路164から出力された輪郭画像データは，画像合成回路164に与えられ，一駒の画像を表すように合成が行われる。
【００９６】
画像情報（設定されたモード）に応じて，周波数ごとに適正な輪郭補正を行うことができるようになる。
【００９７】
図17は，他の実施例を示すもので，色補正を行う画像処理回路の電気的構成を示すブロック図である。モード・スイッチにより，赤み強調モードが設定されているものとする。
【００９８】
この場合も上述した輪郭補正の場合と同様に，画像データ分割回路170によって，第１の輪郭画像データＤ11，第２の輪郭画像データＤ12および第３の輪郭画像データＤ13に分割される。第１の輪郭画像データＤ11，第２の輪郭画像データＤ12および第３の輪郭画像データＤ13は，それぞれ，第１の色補正回路171，第２の色補正回路172および第３の色補正回路173に入力する。
【００９９】
第１の色補正回路171，第２の色補正回路172および第３の色補正回路173には，画像処理制御回路102からパラメータが与えられる。このパラメータは，第１の色補正回路171には，強めの色補正が行われ，第２の色補正回路172および第３の色補正回路173には弱めの色補正が行われるように設定されているものである。
【０１００】
色補正回路171から173の出力画像データが画像データ合成回路174に与えられ，一駒の画像を表す画像データが生成される。
【０１０１】
図18および図19は，さらに他の実施例を示すものである。
【０１０２】
図18は，ディジタル・スチル・カメラの電気的構成を示すブロック図である。この図において，図１に示すものと同一物には同一符号を付して説明を省略する。
【０１０３】
この実施例によるディジタル・スチル・カメラにおいては，画像データは，メモリ・カード７内に格納されている画像ファイルの画像データ記録領域に記録されている。また，画像ファイルのヘッダ記録領域に，画像データの画像情報が記録されている。メモリ・カード７から画像データおよび画像情報が読み取られ，読み取られた画像情報にしたがって，画像データの画像処理が行われる。
【０１０４】
メモリ・カード７には，画像ファイルが格納されている。また，ディジタル・スチル・カメラには，メモリ・カード７に格納されている画像ファイルのヘッダ記録領域に記録されているヘッダ情報を読み取るためのヘッダ情報読み取り回路180が設けられている。特定の画像ファイルの読み取り指令がディジタル・スチル・カメラに与えられると，メモリ・カード７から，その画像ファイルが読み取られる。読み取られた画像ファイルのヘッダ記録領域に記録されているヘッダ情報がヘッダ情報読み取り回路180によって読み取られる。読み取られたヘッダ情報の中から画像情報が抽出され，抽出された画像情報が画像処理制御回路181に与えられる。
【０１０５】
画像処理制御回路181において，ヘッダ情報読み取り回路180から与えられた画像情報にもとづいて，画像処理回路182において行われる画像処理に用いられるパラメータが周波数帯域ごとに決定される。決定されたパラメータが画像処理回路182に与えられ，周波数帯域ごとに適切な画像処理が行われるようになるのは，上述したように，モード・スイッチ102から与えられるモードに応じて画像処理制御回路102によって，画像処理回路103において用いられるパラメータが決定されるのと同様である。
【０１０６】
たとえば，画像処理回路182がノイズ低減処理を行うものの場合（図12と同じ構成となろう），画像ファイルのヘッダ情報記録領域から読み取られた画像情報においてズーム・ポジションがテレ側にある状態で画像データが得られたものであることを示していると，その画像データによって表される画像は，ズーム・レンズがテレ側にあるため，ぼけている可能性が高いので輝度データＹのノイズがより低減されるようにパラメータｇ11，ｇ12およびｇ13が決定されよう。
【０１０７】
また，画像処理回路182が輪郭補正処理を行うものの場合（図16と同じ構成となろう），画像ファイルのヘッダ情報記録領域から読み取られた画像情報においてズーム・ポジションがテレ側にある状態で画像データが得られたものであることを示していると，その画像データによって表される画像は，ズーム・レンズがテレ側にあるため，ぼけている可能性が高いので低周波成分の輪郭画像データＤ11が他の輪郭画像データＤ12およびＤ13よりも強調されるように輪郭補正のパラメータｇ21，ｇ22およびｇ23が決定されよう。
【０１０８】
さらに，画像処理回路182が色補正処理を行うものの場合（図17と同じ構成となろう），画像ファイルのヘッダ情報記録領域から読み取られた画像情報において赤み強調モードにより画像データが得られたものであることを示していると，低周波成分の輪郭画像データＤ11が他の輪郭画像データＤ12およびＤ13よりも強調されるように輪郭補正のパラメータｇ21，ｇ22およびｇ23が決定されることにより，ノイズが強調されてしまうことを未然に防止できる。
【０１０９】
さらに，画像ファイルの画像データ記録領域には，カラー画像データが記録されており，画像処理回路182が色空間ごとに分割するものである場合において輪郭強調が行われる場合（たとえば，図14の構成においてノイズ低減の代わりに輪郭補正が行われるが，ノイズ低減，色補正にも適用できるのはいうまでもない），画像ファイルのヘッダ情報記録領域から読み取られた画像情報においてズーム・ポジションがテレ側にある状態で画像データが得られたものであることを示していると，その画像データによって表される画像は，ズーム・レンズがテレ側にあるため，ぼけている可能性が高いので輝度データＹが色差データＣｒおよびＣｂよりも強調されるようにパラメータが決定されよう。
【０１１０】
図19は，メモリ・カードに格納されている画像ファイルのヘッダ記録領域に記録されている画像情報を用いて，色空間および周波数帯域に応じたノイズ低減処理を行う処理手順を示すフローチャートである。
【０１１１】
まず，メモリ・カードに格納されている画像ファイルから画像データが読み取られる（ステップ191）。読み取られた画像データの色空間が変換される（ステップ192）。変換された色空間ごとの画像データが周波数帯域ごとにそれぞれ分割される（ステップ193）。つづいて，画像ファイルのヘッダ記録領域から画像情報が読み取られる（ステップ194）。
【０１１２】
読み取られた画像情報にもとづいて，周波数帯域に対応したパラメータがそれぞれ決定される（ステップ195）。決定されたパラメータを用いて，周波数帯域ごとに適切なノイズ低減処理が行われる（ステップ197）。ノイズ低減処理が行われた画像データが色空間ごとに，一駒の画像となるように合成処理が行われる（ステップ197）。
【０１１３】
上述した実施例においては，ハードウエアを用いて行っているものが多いが，ソフトウエアを用いて実現できるのはいうまでもない。
【図面の簡単な説明】
【０１１４】
【図１】ディジタル・スチル・カメラの電気的構成を示すブロック図である。
【図２】画像処理回路の電気的構成を示すブロック図である。
【図３】（Ａ），（Ｂ）および（Ｃ）は，それぞれ周波数帯域ごとに分割された画像データの周波数特性を示している。
【図４】コンピュータ装置の電気的構成を示している。
【図５】ノイズ低減処理の処理手順を示すフローチャートである。
【図６】画像処理回路の電気的構成を示すブロック図である。
【図７】ノイズ低減処理の処理手順を示すフローチャートである。
【図８】画像処理回路の電気的構成を示すブロック図である。
【図９】（Ａ），（Ｂ）および（Ｃ）は，それぞれ周波数帯域ごとに分割された画像データの周波数特性を示している。
【図１０】画像処理回路の電気的構成を示すブロック図である。
【図１１】ディジタル・スチル・カメラの電気的構成を示すブロック図である。
【図１２】画像処理回路の電気的構成を示すブロック図である。
【図１３】ノイズ低減処理の処理手順を示すフローチャートである。
【図１４】画像処理回路の電気的構成を示すブロック図である。
【図１５】ノイズ低減処理の処理手順を示すフローチャートである。
【図１６】画像処理回路の電気的構成を示すブロック図である。
【図１７】画像処理回路の電気的構成を示すブロック図である。
【図１８】ディジタル・スチル・カメラの電気的構成を示すブロック図である。
【図１９】ノイズ低減処理の処理手順を示すフローチャートである。
【符号の説明】
【０１１５】
６，６Ａ，103，103Ａ，182  画像処理回路（ノイズ低減装置）
６Ｂ，103Ｂ  画像処理回路（輪郭補正装置）
６Ｃ，103Ｃ  画像処理回路（色補正装置）
10，51〜53，80，90，110，131〜133，160，170  画像データ分割回路
11〜13，54〜62，111〜113，134〜142  ノイズ低減回路
14，63〜65，84，94，114，143〜145，164，174  画像データ合成回路
50，130  色空間変換回路
81〜83，161〜163  輪郭補正回路
91〜93，171〜173  色補正回路
101  モード・スイッチ（画像情報取得手段）
102，181  画像処理制御回路（ノイズ低減処理制御手段）
180  ファイル情報読み取り回路
【図１】
2006050109.tif 000003
【図２】
2006050109.tif 000004
【図３】
2006050109.tif 000005
【図４】
2006050109.tif 000006
【図５】
2006050109.tif 000007
【図６】
2006050109.tif 000008
【図７】
2006050109.tif 000009
【図８】
2006050109.tif 000010
【図９】
2006050109.tif 000011
【図１０】
2006050109.tif 000012
【図１１】
2006050109.tif 000013
【図１２】
2006050109.tif 000014
【図１３】
2006050109.tif 000015
【図１４】
2006050109.tif 000016
【図１５】
2006050109.tif 000017
【図１６】
2006050109.tif 000018
【図１７】
2006050109.tif 000019
【図１８】
2006050109.tif 000020
【図１９】
2006050109.tif 000021